(57)【要約】【課題】  十分な結合力で容易に２枚のカウンターを直交させて連結すること。【解決手段】  カウンター（１）の裏面周縁に沿って桟材（２）が配設され、桟材に、カウンターの端縁に向かって開口する凹部が形成された２枚のカウンターが、凹部を対向させて突き合わされ、対向する凹部の略全域にわたって、左右両端部に凸部を有する連結材の凸部を嵌合させて２枚のカウンターが連結される。【選択図】図１
2005270336.tif 000002
【特許請求の範囲】
【請求項１】
カウンターの裏面周縁に沿って桟材が配設され、桟材に、カウンターの端縁に向かって開口する凹部が形成された２枚のカウンターが、凹部を対向させて突き合わされ、対向する凹部の略全域にわたって、左右両端部に凸部を有する連結材の凸部を嵌合させて２枚のカウンターが連結されることを特徴とするカウンターの連結構造。
【請求項２】
連結材の凸部はバネ片を備え、凹部への嵌合状態においてバネ片の弾性力は、カウンター同士を引き寄せる方向に作用する請求項１記載のカウンターの連結構造。
【発明の詳細な説明】
【技術分野】
【０００１】
この出願の発明は、カウンターの連結構造に関するものである。さらに詳しくは、この出願の発明は、十分な結合力で容易に２枚のカウンターを連結することのできるカウンターの連結構造に関するものである。
【背景技術】
【０００２】
キッチンキャビネット、洗面台などに用いられるカウンターについては、２枚を直交状（Ｌ字型）に連結することや直線状（Ｉ字型）に連結することが行われている。連結にあたっては、たとえば、カウンター下部に配設された桟を連結金具により挟みつけて固定している（たとえば、特許文献１参照）。
【特許文献１】特開平７−１０００４２号公報
【発明の開示】
【発明が解決しようとする課題】
【０００３】
しかしながら、上記特許文献１に記載されたようなカウンターの連結構造では、結合力は連結金具の固定位置でしか得られないため、結合力が十分であるとはいいにくい。結合力を高めようとするには、連結箇所を増やす必要があり、したがって、連結作業が容易ではなくなる。
【０００４】
この出願の発明は、このような事情に鑑みてなされたものであり、十分な結合力で容易に２枚のカウンターを連結することのできるカウンターの連結構造を提供することを解決すべき課題としている。
【課題を解決するための手段】
【０００５】
この出願の発明は、上記の課題を解決するものとして、第１には、カウンターの裏面周縁に沿って桟材が配設され、桟材に、カウンターの端縁に向かって開口する凹部が形成された２枚のカウンターが、凹部を対向させて突き合わされ、対向する凹部の略全域にわたって、左右両端部に凸部を有する連結材の凸部を嵌合させて２枚のカウンターが連結されることを特徴とするカウンターの連結構造を提供する。
【０００６】
この出願の発明は、第２には、上記第１のカウンターの連結構造において、連結材の凸部はバネ片を備え、凹部への嵌合状態においてバネ片の弾性力は、カウンター同士を引き寄せる方向に作用するカウンターの連結構造を提供する。
【発明の効果】
【０００７】
この出願の発明の第１のカウンターの連結構造によれば、十分な結合力で容易に２枚のカウンターを連結することができる。
【０００８】
この出願の発明の第２のカウンターの連結構造によれば、カウンターの結合力はより大きなものとなる。
【発明を実施するための最良の形態】
【０００９】
以下、図面に沿ってこの出願の発明のカウンターの連結構造についてさらに詳しく説明する。
【００１０】
図１は、この出願の発明のカウンターの連結構造におけるカウンターの一形態を示した平面図である。図２は、図１に示したカウンターのａ−ａ断面図であり、図３は、ｂ−ｂ断面図である。
【００１１】
この出願の発明のカウンターの連結構造が適用されるカウンター（１）には、裏面周縁に沿って桟材（２）が配設されている。桟材（２）には、カウンター（１）の端縁に向かって開口する凹部（３）が形成されている。この凹部（３）の形状は様々に考えられ、たとえば図２および図３に示したように、Ｔ字が横に寝たような断面形状とすることもできる。
【００１２】
図４は、この出願の発明のカウンターの連結構造に用いられる連結材の一形態を示した断面図である。
【００１３】
連結材（４）は、左右両端部に凸部（５）を有している。この凸部（５）の形状は、カウンター（１）の桟材（２）に形成される凹部（３）の形状に対応させることができる。たとえば図４に示したように、連結材（４）の形状は、断面略Ｈ字状とすることができる。
【００１４】
この出願の発明のカウンターの連結構造において、カウンター（１）を連結する際には、図１に示したように、たとえば２枚のカウンター（１）が直交して突き合わされる。カウンター（１）が突き合わされる部分では、桟材（２）に形成された凹部（３）が、図５に示したように対向する。図４に示した連結材（４）の長さは、図１に示した対向する凹部の全域（Ｌ）に同一または若干短めの長さとなっている。このような連結材（４）は、図５に示したように、対向する凹部（３）間に側方より挿入され、左右両端部の凸部（５）が凹部（３）に嵌合し、カウンター（１）は連結される。すなわち、対向する凹部（３）の全域または若干短い領域（これを略全域という）にわたって２枚のカウンター（１）が連結される。
【００１５】
このように、この出願の発明のカウンターの連結構造では、カウンター（１）が突き合わされる部分において対向する桟材（２）に形成された凹部（３）の略全域にわたって連結材（４）の凸部（５）が嵌合するため、十分な結合力で、しかも容易に２枚のカウンター（１）を連結することができる。また、図１に示したように、カウンター（１）をＬ字型に連結する場合には、カウンター（１）の突き合わせは直線状となるため、これまでのいわゆるＪカットが不要となり、加工容易となる。さらに、この場合、Ｊカットして連結する場合に問題とされる屈曲部における応力の集中が緩和される。
【００１６】
この出願の発明のカウンターの連結構造では、図４に示したように、連結材（４）の凸部（５）はバネ片（６）を備えることができる。このバネ片（６）の弾性力は、図５に示した凹部（３）への嵌合状態においてカウンター（１）同士を引き寄せる方向に作用する。したがって、バネ片（６）によってカウンター（１）の結合力はより大きなものとなる。
【００１７】
なお、この出願の発明のカウンターの連結構造では、凹部（３）は、突き合わされるカウンター（１）の対向する桟材（２）に少なくとも形成されていればよい。また、この出願の発明のカウンターの連結構造では、Ｉ字型に連結する場合にも同様に適用される。
【００１８】
もちろん、この出願の発明は、以上の実施形態によって限定されるものではない。桟材および連結材の構成および構造等の細部については様々な態様が可能であることはいうまでもない。
【図面の簡単な説明】
【００１９】
【図１】この出願の発明のカウンターの連結構造におけるカウンターの一形態を示した平面図である。
【図２】図１に示したカウンターのａ−ａ断面図である。
【図３】図１に示したカウンターのｂ−ｂ断面図である。
【図４】連結材の一形態を示した断面図である。
【図５】この出願の発明のカウンターの連結構造の一実施形態を示した要部断面図である。
【符号の説明】
【００２０】
１    カウンター
２    桟材
３    凹部
４    連結材
５    凸部
６    バネ片
【図１】
2005270336.tif 000003
【図２】
2005270336.tif 000004
【図３】
2005270336.tif 000005
【図４】
2005270336.tif 000006
【図５】
2005270336.tif 000007